(57)【要約】【課題】  吹出グリルに結露が発生するのを抑制できる吹出グリル装置、吹出チャンバ装置及びこれを用いたビルトイン型空気調和機を提供する。【解決手段】  被調和室の天井部に設置され、被調和室に吹出空気を吹き出す吹出口５５Ａを有する吹出グリル５５を備え、この吹出グリル５５の吹出口５５Ａを形成する壁面６３に、被調和室に向けて吹出風路５５Ｆの開口を拡げるように傾斜する第１の面６３Ａと、この第１の面６３Ａに段差部６３Ｂを介して連なり、被調和室に向けて吹出風路５５Ｆの開口を更に拡げるように傾斜する第２の面６３Ｃとを形成した。【選択図】      図９
2006038380.tif 000002
【特許請求の範囲】
【請求項１】
被調和室の天井部に設置され、被調和室に吹出空気を吹き出す吹出口を有する吹出グリルを備え、この吹出グリルの吹出口を形成する壁面に、被調和室に向けて吹出風路の開口を拡げるように傾斜する第１の面と、この第１の面に段差部を介して連なり、被調和室に向けて吹出風路の開口を更に拡げるように傾斜する第２の面とを形成したことを特徴とする吹出グリル装置。
【請求項２】
前記第２の面の傾斜が、前記第１の面の傾斜よりも大きく形成されていることを特徴とする請求項１記載の吹出グリル装置。
【請求項３】
前記第１の面と、前記第２の面との間の段差部が、上に凸に湾曲した湾曲部を含むことを特徴とする請求項１又は２記載の吹出グリル装置。
【請求項４】
被調和室の天井部に設置され、熱交換器及びファンを収容したユニット本体に、吹出ダクトを介して接続され、吹出ダクトの吹出空気を吹出開口部から吹き出す吹出チャンバと、この吹出チャンバの吹出開口部に取り付けられ、被調和室に吹出空気を吹き出す吹出口を有する吹出グリルとを備え、
この吹出グリルの吹出口を形成する壁面に、被調和室に向けて吹出風路の開口を拡げるように傾斜する第１の面と、この第１の面に段差部を介して連なり、被調和室に向けて吹出風路の開口を更に拡げるように傾斜する第２の面とを形成したことを特徴とする吹出チャンバ装置。
【請求項５】
請求項４記載の吹出チャンバ装置と、ユニット本体と、吹出ダクトとで構成されていることを特徴とするビルトイン型空気調和機。
【発明の詳細な説明】
【技術分野】
【０００１】
本発明は、被調和室の天井部に設置され、被調和室に吹出空気を吹き出す吹出口を有する吹出グリルを備える吹出グリル装置、吹出チャンバ装置及びこれを用いたビルトイン型空気調和機に関する。
【背景技術】
【０００２】
被調和室の天井部に設置され、被調和室に吹出空気を吹き出す吹出口を有する吹出グリルを備えた吹出チャンバと、熱交換器及びファンを収容したユニット本体と、ユニット本体の吹出空気を吹出チャンバに供給するための吹出ダクトとを備えたビルトイン型空気調和機が知られている。この種のビルトイン型空気調和機では、ユニット本体にて熱交換された空気（調和空気）を、吹出ダクト及び吹出チャンバを介して被調和室へ吹き出すため、室内に室内機が露出せず、室内の美観を損なうことなく最適な空気調和を実現できる。従来の吹出グリルは、吹出口を構成する壁面が、垂直面若しくは一様に連続する傾斜面に形成されるのが一般的である（例えば、特許文献１，２参照）。
【特許文献１】特開２００３−２８４８９号公報
【特許文献２】特開平１１−２０１５３９号公報
【発明の開示】
【発明が解決しようとする課題】
【０００３】
しかし、従来の構成では、冷房運転の場合に、吹出グリルから吹き出された冷たい調和空気と天井部との間に被調和室内の暖かい空気が入り込み、この暖かい空気が調和空気により冷やされて吹出グリルに結露が発生するおそれがあった。
【０００４】
そこで、本発明の目的は、吹出グリルに結露が発生するのを抑制することができる吹出グリル装置、吹出チャンバ装置及びこれを用いたビルトイン型空気調和機を提供することにある。
【課題を解決するための手段】
【０００５】
上述課題を解決するため、本発明は、被調和室の天井部に設置され、被調和室に吹出空気を吹き出す吹出口を有する吹出グリルを備え、この吹出グリルの吹出口を形成する壁面に、被調和室に向けて吹出風路の開口を拡げるように傾斜する第１の面と、この第１の面に段差部を介して連なり、被調和室に向けて吹出風路の開口を更に拡げるように傾斜する第２の面とを形成した吹出グリル装置であることを特徴とする。
【０００６】
この発明によれば、吹出グリルの吹出口を形成する壁面に、被調和室に向けて吹出風路の開口を拡げるように傾斜する第１の面と、この第１の面に段差部を介して連なり、被調和室に向けて吹出風路の開口を更に拡げるように傾斜する第２の面とを形成したため、吹出グリルの前面に近い位置に吹出空気を吹き出すことができ、吹出グリルから吹き出された冷たい調和空気と天井部との間に被調和室内の暖かい空気が入り込むのを阻止し、吹出グリルに結露が発生するのを抑制することができる。
【０００７】
上記発明において、前記第２の面の傾斜を前記第１の面の傾斜よりも大きく形成してもよく、また、前記第１の面と、前記第２の面との間の段差部が、上に凸に湾曲した湾曲部を含むように構成してもよい。
【０００８】
また、本発明は、被調和室の天井部に設置され、熱交換器及びファンを収容したユニット本体に、吹出ダクトを介して接続され、吹出ダクトの吹出空気を吹出開口部から吹き出す吹出チャンバと、この吹出チャンバの吹出開口部に取り付けられ、被調和室に吹出空気を吹き出す吹出口を有する吹出グリルとを備え、この吹出グリルの吹出口を形成する壁面に、被調和室に向けて吹出風路の開口を拡げるように傾斜する第１の面と、この第１の面に段差部を介して連なり、被調和室に向けて吹出風路の開口を更に拡げるように傾斜する第２の面とを形成した吹出チャンバ装置であることを特徴とする。
【０００９】
また、上記吹出チャンバ装置と、ユニット本体と、吹出ダクトとで構成されたビルトイン型空気調和機であってもよい。
【発明の効果】
【００１０】
本発明は、吹出グリルの吹出口を形成する壁面に、被調和室に向けて吹出風路の開口を拡げるように傾斜する第１の面と、この第１の面に段差部を介して連なり、被調和室に向けて吹出風路の開口を更に拡げるように傾斜する第２の面とを形成したため、吹出グリルの前面に近い位置に吹出空気を吹き出すことができ、吹出グリルから吹き出された冷たい調和空気と天井部との間に被調和室内の暖かい空気が入り込むのを阻止し、吹出グリルに結露が発生するのを抑制することができる
【発明を実施するための最良の形態】
【００１１】
以下、図面を参照して本発明の実施形態を詳述する。
図１は、本発明に係るビルトイン型空気調和機を示し、（Ａ）がパネル仕様ビルトイン型空気調和機、（Ｂ）がダクト仕様ビルトイン型空気調和機をそれぞれ示す側面図である。図１（Ａ）に示すパネル仕様ビルトイン型空気調和機３０と、図１（Ｂ）に示すダクト仕様ビルトイン型空気調和機４０は、共に、建屋３１の天井３２と天井板３３との間の天井空間３４内に懸吊して配設され、ユニット本体３５、吹出ダクト３６、吹出チャンバ４８及び運転制御用の電装箱３７を有して構成されている。
【００１２】
上記ユニット本体３５は、互いに対向配置されて四角枠形状に設けられた４枚の側板３８の上縁部に天板３９が、下縁部の一部に底板４６がそれぞれ固定されて構成される。これらの側板３８、天板３９及び底板４６の内外表面に断熱材が貼着されている。このユニット本体３５の側板３８には吊り金具４１が固着され、この吊り金具４１が、建屋３１の天井３２から垂下された吊りボルト４２に止着されて、パネル仕様ビルトイン型空気調和機３０、ダクト仕様ビルトイン型空気調和機４０が建屋３１の天井３２に懸吊可能に構成される。
【００１３】
このユニット本体３５の内部には、図示しない室内熱交換器、ファンおよびファンモータが収容される。室内熱交換器は、図２及び図３に示す冷媒配管接続口４３に接続された冷媒配管（液管）、及び冷媒配管接続口４４に接続された冷媒配管（ガス管）を用いて、図示しない室外機に接続される。ユニット本体３５内の室内熱交換器は、室外機から導かれる冷媒の蒸発または凝縮により、ユニット本体３５内に吸い込まれた空気を冷却し又は暖房する。４５Ａはドレン配管接続口、４５Ｂはドレン排出口を示している。
【００１４】
上記吹出ダクト３６は、ユニット本体３５から複数本が延設され、吹出ダクト３６のそれぞれは、ユニット本体３５の一つの側板３８に一体に設置された吹出口４７に一端が嵌装され、他端に吹出チャンバ４８が取付けられる。この吹出チャンバ４８は、天井板３３の適宜位置に設置される。ユニット本体３５内のファンの回転により、後述の如くユニット本体３５内に室内空気が吸い込まれ、室内熱交換器により熱交換された空気が、吹出ダクト３６を経て吹出チャンバ４８から被調和室へ吹き出される。
【００１５】
図１（Ａ）及び図２に示すパネル仕様ビルトイン型空気調和機３０では、ユニット本体３５の下部開口に天井パネル４９が嵌装されている。この天井パネル４９は、中央位置に吸込板５０を備え、この吸込板５０との隙間から室内空気を吸い込み、ユニット本体３５内へ導入する。また、図１（Ｂ）及び図３に示すダクト仕様ビルトイン型空気調和機４０は、ユニット本体３５の一つの側板３８で、吹出口４７が設置された側板３８に対向する側板（すなわちダクト仕様ビルトイン型空気調和機４０の背面板３８Ｂ）に、図示しない吸込開口が形成され、この側板３８（背面板３８Ｂ）に、例えばフィルタボックス５１を介して、通常一本の吸込ダクト５２が連接されている。吸込ダクト５２の一端部に吸込グリル５３が嵌装され、この吸込グリル５３が、天井板３３の適宜位置に設置される。この吸込グリル５３から室内空気が取り込まれ、吸込ダクト５２を経てユニット本体３５内へ吸い込まれる。尚、ユニット本体３５の下部開口は、本体蓋７７により閉鎖されている。
【００１６】
上記吹出チャンバ４８は、図４に示すように、吹出グリル５５と組になっており、吹出チャンバ４８の側板に固定された吊り金具４８Ａに、建屋３１の天井３２から垂下された吊りボルト４２を引っ掛けることによって、天井裏に設置されている。そして、吹出ダクト３６を経て送られる調和空気は、図５において矢印で示すように流れて、吹出グリル５５の二つの吹出口５５Ａを通じて被調和室に吹き出される。
【００１７】
上記吹出チャンバ４８は、図６（Ａ）に示すように、略箱状に形成された鋼板製の外装材８１と、この外装材８１の内側に配置され、その内側には、吹出空気の案内風路８３Ａ（図５）が形成された発泡スチロール製の風路形成体８３と、この風路形成体８３を覆う略板状の鋼板製の蓋材８５とで構成されている。これらは、図６（Ｂ）に示すように組み立てられ、その後に、図４に示すように、補強板８７、及びダクト接続フランジ９０がねじ止めされる。本構成では、吹出チャンバ４８が、外装材８１と、風路形成体８３と、蓋材８５との三部品で構成されるため、従来のものに比べて、部品点数が大幅に削減され、組み立て工数が削減され、製造コストが大幅に低減される。
【００１８】
風路形成体８３は、図５及び図６に示すように、二つの形成体８３Ｂ，８３Ｃに分割されており、外装材８１又は蓋材８５のいずれかに当接する突起部８９が形成され、この突起部８９は、それぞれの形成体８３Ｂ，８３Ｃにおける各面の最外周周縁部のすべてと、一方の形成体８３Ｂにおける風孔８３Ｄの周縁部のすべてとに一体形成されている。この構成により、それぞれの形成体８３Ｂ，８３Ｃと、外装材８１又は蓋材８５との接触面積が減るために、急激な温度変化等に起因して、仮にそれぞれの形成体８３Ｂ，８３Ｃが大きく伸縮したとしても、きしみ音の発生が抑制されると共に、各形成体８３Ｂ，８３Ｃの合わせ面から漏れ出した空気の回り込みが突起部８９によって阻止され、外装材８１又は蓋材８５への結露の発生が抑制される。
【００１９】
また、風路形成体８３の一方の形成体８３Ｂには、吹出ダクト３６に連通する風孔８３Ｄがあけられ、蓋材８５には、この風孔８３Ｄ相当位置に風量調整板９３が配設されている。この風量調整板９３は、略円弧状の切り欠き９３Ａ、及び略直線状の切り欠き９３Ｂで切り抜かれた、蓋材８５の残存部によって形成され、当該風量調整板９３は、一対の連結部９３Ｃを介して蓋材８５に折り曲げ自在に連結される。
【００２０】
この場合、風量の調整は、風量調整板９３を、風路形成体８３Ｂの風孔８３Ｄ内に押し込むように、一対の連結部９３Ｃを中心に矢印Ｘの方向に折り曲げることによって行う。風量調整板９３を大きく折り曲げれば風量が増し、反対に、折り曲げ量をすくなくすれば風量が減る。本構成では、風量調整板９３が、略円弧状の切り欠き９３Ａ、及び略直線状の切り欠き９３Ｂで切り抜かれた、蓋材８５の残存部により形成されるため、余分な部材を必要とすることなく、風量調整板９３を簡単に形成することができる。
【００２１】
また、風路形成体８３の他方の形成体８３Ｃには、上記風孔８３Ｄと対向する内壁面に、風の案内面８３Ｅが形成され、この案内面８３Ｅは、吹出開口部８６に向けて徐々に突出量が増し、上記風孔８３Ｄの最下点の延長線Ｌ上より若干吹出開口部８６側に近づく位置、即ち位置８３Ｆで、最も高くなるように形成されている。つまり、案内面８３Ｅは、吹出ダクト３６に近づく程その突出量が増す傾斜面に形成されている。本構成では、形成体８３Ｃが発泡スチロール製であるため、風の案内面８３Ｅが仮に複雑な形状であったとしても、従来のように、断熱材を張り合わせて風の案内面を形成するものに比べて、そのプロフィルをきわめて正確にかつ簡単に一体成形することができる。この風路形成体８３の吹出開口部８６には、吹出グリル５５が取り付けられている。
【００２２】
図７は、吹出グリル５５の分解斜視図であり、図８は吹出グリル５５の断面図である。吹出グリル５５は、樹脂製の化粧パネル６０と、この化粧パネル６０に積層配置される発泡スチロール製の断熱体６１と、ルーバ６２とで構成されている。化粧パネル６０には、２つの吹出口５５Ａの壁面を構成する壁面パネル６３が一体に形成され、各吹出口５５Ａの間にパネル６０の長手方向に延在する中央枠６４が設けられている。断熱体６１は、壁面パネル６３に積層配置される第１の断熱体６５と、中央枠６４に積層配置される第２の断熱体６６とが一体成形されて構成されている。
【００２３】
本構成では、第２の断熱体６６が、中央枠６４の長手方向に渡って延在すると共に、上方凸形状の断面形状（本実施形態では略三角断面形状）に形成されるため、断熱材として機能するだけでなく、各吹出風路５５Ｆを仕切る吹出風路仕切体として機能させることができる。ルーバ６２は、上記壁面パネル６３によって形成された各吹出風路５５Ｆ内で両端が回動可能に軸支され、各吹出口５５Ａから吹き出す調和空気の吹出方向の調整に使用される。
【００２４】
上記壁面パネル６３には、被調和室に向けて吹出風路５５Ｆの開口を拡げるように傾斜する第１の面６３Ａと、この第１の面６３Ａに段差部６３Ｂを介して連なり、吹出風路５５Ｆの開口を更に拡げるように傾斜する第２の面６３Ｃとが形成されている。この段差部６３Ｂは、図９に示すように、第１の面６３Ａから吹出グリル５５の設置面（本実施形態では天井面）Ｔと略平行方向であって、第２の面６３Ｃを吹出風路５５Ｆの開口を更に拡げる方向（Ｙ方向）に屈曲した後、上に凸に湾曲した湾曲部６３Ｄを介して第２の面６３Ｃとつながる形状に形成されている。また、この段差部６３Ｂは、吹出グリル５５の周縁側前面５５Ｂの延長線Ｌ２と、ルーバ６２の回動軸６２Ａ上の延長線Ｌ３との間の略中間高さ（延長線Ｌ４上）に位置するように形成され、吹出グリル５５の周縁側前面５５Ｂからの高さが値Ｔ１に設定されている。ここで、第２の面６３Ｃの傾斜は、第１の面６３Ａの傾斜とほぼ同様若しくは若干大きい傾斜に形成されている。
【００２５】
ところで、冷房運転の場合、各吹出口５５Ａから吹き出された冷たい空気と天井部との間に被調和室内の暖かい空気が入り込むと、この暖かい空気が吹出空気により冷やされて吹出グリル５５に結露が発生するおそれがある。
【００２６】
本構成では、上記したように、吹出口５５Ａを形成する壁面を、被調和室に向けて吹出風路５５Ｆの開口を拡げるように傾斜する第１の面６３Ａと、この第１の面６３Ａに段差部６３Ｂを介して連なり、吹出風路５５Ｆの開口を更に拡げるように傾斜する第２の面６３Ｃとによって形成しており、このように形成することによって、吹出口を形成する壁面を一様に連続する傾斜面とした従来のものに比して、矢印αで示すように、吹出風路５５Ｆを流れる吹出空気が、吹出グリル５５の周縁側前面５５Ｂに近い位置に吹き出されることを確認できた。これによって、各吹出口５５Ａから吹き出された冷たい空気と天井部との間に被調和室内の暖かい空気が入り込むのを阻止することができ、吹出グリル５５に結露が発生するのを抑制することができる。また、上記第１の面６３Ａ、段差部６３Ｂ、第２の面６３Ａを有する壁面パネル６３が吹出グリルの化粧パネルとして一体成形されるため、そのプロフィルを正確にかつ簡単に一体成形することが可能である。
【００２７】
ここで、図１０（Ａ）（Ｂ）は、吹出グリル５５の変形例を示す図であり、図１０（Ａ）は、段差部６３Ｂの位置を吹出風路５５Ｆの入口側、すなわち、段差部６３Ｂをルーバ６２の回動軸６２Ａ上の延長線Ｌ３上の位置に設け、吹出グリル５５の周縁側前面５５Ｂからの高さを値Ｔ２（Ｔ２＞Ｔ１）に設定した場合の構成例である。また、図１０（Ｂ）は、段差部６３Ｂを吹出風路５５Ｆの出口側（吹出口５５Ａ側）、すなわち、吹出グリル５５の周縁側前面５５Ｂからの高さを値Ｔ３（Ｔ３＜Ｔ１）に設定した場合の構成例である。つまり、上記各値の関係は、Ｔ３＜Ｔ１＜Ｔ２となっている。
上記図９、図１０（Ａ）（Ｂ）の３種類の吹出グリル５５について実際に比較したところ、吹出グリル５５の周縁側前面５５Ｂに近い位置に吹出空気を吹き出す点に関しては、段差部６３Ｂの吹出グリル５５の前面からの高さは、値Ｔ１が最も良好であり、次に値Ｔ３が良好であり、その次が値Ｔ２が良好であることを確認することができた。つまり、段差部６３Ｂの高さを値Ｔ１に設定した場合が、吹出グリル５５への結露の発生を最も抑制することが可能であった。
【００２８】
また、段差部６３Ｂに上記湾曲部６３Ｄを設けたものと、湾曲部６３Ｄを設けないものについても実際に比較したところ、吹出グリル５５の周縁側前面５５Ｂに近い位置に吹出空気を吹き出す点に関しては、湾曲部６３Ｄを設けたものの方が良好であることも確認することができた。
【００２９】
図１１は、吹出グリルの他の変形例を示す断面図である。
この吹出グリル５５１は、図９に示す吹出グリル５５と第２の面６３Ｃ１の傾斜だけが異なる。すなわち、この吹出グリル５５１の第２の面６３Ｃ１の傾斜は、第１の面６３Ａの傾斜より大きくなるように形成されている。この構成によれば、吹出グリル５５の周縁側前面５５Ｂに近い位置に吹出空気を吹き出す点に関しては、上記図９に示す吹出グリル５５の場合よりも、周縁側前面５５Ｂに近い位置に多く吹出空気を吹き出すことができることを確認することができた。従って、このように、第２の面６３Ｃ１の傾斜は、第１の面６３Ａの傾斜より大きくすることで、吹出グリル５５１の結露をより抑制することを可能となる。なお、この吹出グリル５５１の段差部６３Ｂの高さを値Ｔ１に設定する場合について例示したが、上記値Ｔ２や値Ｔ３に設定してもよく適宜変更してもよい。
【００３０】
以上の各構成は、パネル仕様ビルトイン型空気調和機、ダクト仕様ビルトイン型空気調和機のいずれにも適用可能である。また、上述した実施形態は、あくまで本発明の一態様に過ぎず、本発明の範囲内で任意に変形が可能である。例えば、上述した実施形態では、吹出チャンバに取り付けられる吹出グリルに本発明を適用する場合を例に述べたが、被調和室の天井に配置される吹出グリルを備える天井埋込型空気調和機等の吹出グリル装置に本発明を広く適用することが可能である。
【図面の簡単な説明】
【００３１】
【図１】本発明に係るビルトイン型空気調和機の一実施形態を示し、（Ａ）がパネル仕様ビルトイン型空気調和機、（Ｂ）がダクト仕様ビルトイン型空気調和機のそれぞれ側面図である。
【図２】図１（Ａ）のパネル仕様ビルトイン型空気調和機の一部を示す斜視図である。
【図３】図１（Ｂ）のダクト仕様ビルトイン型空気調和機の一部を示す斜視図である。
【図４】吹出チャンバの斜視図である。
【図５】吹出チャンバの断面図である。
【図６】（Ａ）が吹出チャンバの分解斜視図、（Ｂ）がその斜視図である。
【図７】吹出グリルの分解斜視図である。
【図８】吹出グリルの断面図である。
【図９】吹出チャンバの一部断面図である。
【図１０】（Ａ）（Ｂ）は夫々吹出グリルの比較例を示す図である。
【図１１】吹出グリルの変形例を示す一部断面図である。
【符号の説明】
【００３２】
３０  パネル仕様ビルトイン型空気調和機
３５  ユニット本体
３６  吹出ダクト
４０  ダクト仕様ビルトイン型空気調和機
４８  吹出チャンバ
５５，５５１  吹出グリル
５５Ａ  吹出口
５５Ｂ  周縁側前面
５５Ｆ  吹出風路
６０  化粧パネル
６１，６５，６６  断熱体
６２  ルーバ
６３Ａ  第１の面
６３Ｂ  段差部
６３Ｃ  第２の面
６３Ｄ  湾曲部
８３  風路形成体
【図１】
2006038380.tif 000003
【図２】
2006038380.tif 000004
【図３】
2006038380.tif 000005
【図４】
2006038380.tif 000006
【図５】
2006038380.tif 000007
【図６】
2006038380.tif 000008
【図７】
2006038380.tif 000009
【図８】
2006038380.tif 000010
【図９】
2006038380.tif 000011
【図１０】
2006038380.tif 000012
【図１１】
2006038380.tif 000013